(57)【要約】【課題】  移動通信システムにおける移動局において、システム帯域が複数の部分帯域ＲＢ（Resource Block）に分割された各ＲＢのＣＱＩ値を基地局へ通知する際に要する無線資源の使用率を削減できるＣＱＩ通知方法を提供する。【解決手段】  移動局はＣＱＩ測定部６０１にて各ＲＢの受信品質を測定してＣＱＩ値を得る。決定部６０６はフレーム毎に時間相対値を用いるか周波数相対値を用いるかを決定する。この決定方法は、所定数フレーム毎に周波数相対値を用い、それ以外のフレームでは時間相対値を用いるようにする。決定部６０６が時間相対値を用いると決定した場合は、時間相対値算出部６０５による時間相対値を、周波数相対値を用いると決定した場合は、周波数相対値算出部６０７による周波数相対値を、それぞれＣＱＩ情報生成部６０８へ送り、所定のフォーマットで基地局へ報告する。【選択図】      図７
2008048319.tif 000002
【特許請求の範囲】
【請求項１】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
第１のタイミングでは、前記測定結果である部分帯域の通信路品質を、周波数方向の相対値情報により表現して、前記通信路品質情報として前記基地局へ送信する手段と、
第２のタイミングでは、前記測定結果である部分帯域の通信路品質を、該第２のタイミングより前の部分帯域に対する時間方向の相対値情報により表現して、前記通信路品質情報として前記基地局へ送信する手段と、
を含むことを特徴とする通信システム。
【請求項２】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
前記測定結果である部分帯域の通信路品質を周波数方向の相対値情報により表現する手段と、
前記測定結果である部分帯域の通信路品質を、時間的に前の前記部分帯域に対する時間方向の相対値情報により表現する手段と、
前記周波数方向の相対値情報と前記時間方向の相対値情報とのうち、前記測定結果との誤差が少ない方を前記通信路品質情報として前記基地局へ送信する手段と、
を含むことを特徴とする通信システム。
【請求項３】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
前記測定結果である部分帯域の通信路品質を、時間的に前のタイミングにおける前記部分帯域に対する時間方向の相対値情報により表現する手段と、
前記測定結果である部分帯域の通信路品質を、システムにて規定されている量子化レベルよりも粗い量子化レベル情報で表現する手段と、
前記時間方向の相対値情報と前記量子化レベル情報とのうち、前記測定結果との誤差が少ない方を前記通信路品質情報として前記基地局へ送信する手段と、
を含むことを特徴とする通信システム。
【請求項４】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
前記測定結果である部分帯域の通信路品質を、時間的に前のタイミングにおける前記部分帯域に対する時間方向の相対値情報により表現する手段と、
前記測定結果である部分帯域の通信路品質を、システムにて規定されている量子化レベルよりも粗い量子化レベル情報で表現する手段と、
あるタイミンクでは前記量子化レベル情報を、残余のタイミングでは前記時間方向の相対値情報を、前記通信路品質情報として前記基地局へ送信する手段と、
を含むことを特徴とする通信システム。
【請求項５】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
第１のタイミングでは、前記測定結果である部分帯域の通信路品質を、周波数方向の相対値情報により表現して、前記通信路品質情報として前記基地局へ送信するステップと、
第２のタイミングでは、前記測定結果である部分帯域の通信路品質を、該第２のタイミングより前の部分帯域に対する時間方向の相対値情報により表現して、前記通信路品質情報として前記基地局へ送信するステップと、
を含むことを特徴とする通信方法。
【請求項６】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
前記測定結果である部分帯域の通信路品質を周波数方向の相対値情報により表現するステップと、
前記測定結果である部分帯域の通信路品質を、時間的に前の前記部分帯域に対する時間方向の相対値情報により表現するステップと、
前記周波数方向の相対値情報と前記時間方向の相対値情報とのうち、前記測定結果との誤差が少ない方を前記通信路品質情報として前記基地局へ送信するステップと、
を含むことを特徴とする通信方法。
【請求項７】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
前記測定結果である部分帯域の通信路品質を、時間的に前のタイミングにおける前記部分帯域に対する時間方向の相対値情報により表現するステップと、
前記測定結果である部分帯域の通信路品質を、システムにて規定されている量子化レベルよりも粗い量子化レベル情報で表現するステップと、
前記時間方向の相対値情報と前記量子化レベル情報とのうち、前記測定結果との誤差が少ない方を前記通信路品質情報として前記基地局へ送信するステップと、
を含むことを特徴とする通信方法。
【請求項８】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
前記測定結果である部分帯域の通信路品質を、時間的に前のタイミングにおける前記部分帯域に対する時間方向の相対値情報により表現するステップと、
前記測定結果である部分帯域の通信路品質を、システムにて規定されている量子化レベルよりも粗い量子化レベル情報で表現するステップと、
あるタイミングでは前記量子化レベル情報を、残余のタイミングでは前記時間方向の相対値情報を、前記通信路品質情報として前記基地局へ送信するステップと、
を含むことを特徴とする通信方法。
【請求項９】
移動局と基地局とを含む通信システムであって、
前記移動局は、複数の部分帯域に分割された下り回線の通信帯域の１以上の部分帯域の通信路品質を測定する測定手段と、この測定結果を上り回線により通信路品質情報として基地局へ送信する情報送信手段とを有し、
前記移動局は、
第１のタイミングでは、前記情報送信手段により、前記測定手段で測定された少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、
第２のタイミングでは、前記情報送信手段により、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする通信システム。
【請求項１０】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１の手段と、
前記第１または第２の符号で表現された部分帯域の通信路品質情報を、時間的に前のタイミングにおいて前記第１または第２の符号で表現された部分帯域の通信路品質情報を基準として第３の符号により表現する第２の手段と、
前記第１及び第２の手段により表現された情報を択一的に基地局へ送信する手段と、
を含むことを特徴とする通信システム。
【請求項１１】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
第１または第２の符号で表現された部分帯域の通信路品質情報を、時間的に前のタイミングにおいて前記第１または第２の符号で表現された部分帯域の通信路品質情報を基準として第３の符号により表現する第１の手段と、
前記測定結果である部分帯域の通信路品質を、システムにて規定されている量子化レベルよりも粗い量子化レベル情報で表現する第２の手段と、
前記第１及び第２の手段により表現された情報を択一的に基地局へ送信する第３の手段と、
を含むことを特徴とする通信システム。
【請求項１２】
前記第３の手段は、前記第１及び第２の手段により表現された情報のうち、前記測定結果との誤差が少ない方を前記通信路品質情報として前記基地局へ送信することを特徴とする請求項１０または１１記載の通信システム。
【請求項１３】
複数の部分帯域に分割された下り回線の通信帯域の１以上の部分帯域の通信路品質を移動局で測定し、この測定結果を上り回線により通信路品質情報として基地局へ送信するようにした通信システムであって、
前記移動局は、
第１のフォーマットに基づいて前記部分帯域の通信路品質を符号で表現する第１の手段と、
前記第１のフォーマットとは異なる第２のフォーマットに基づいて前記部分帯域の通信路品質を符号で表現する第２の手段と、
前記第１及び第２のフォーマットに基づいて表現された通信路品質と、測定した通信路品質との誤差に基づいて前記第１及び第２のフォーマットによる情報を択一的に前記基地局へ送信する第３の手段と、
を含むことを特徴する通信システム。
【請求項１４】
前記第１のフォーマットとして、前記測定結果である少なくとも１つの部分帯域の通信路品質を第１の符号により通信路品質情報として表現し、前記測定結果である前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、
前記第２のフォーマットとして、前記第１または第２の符号で表現された部分帯域の通信路品質情報を、時間的に前のタイミングにおいて前記第１または第２の符号で表現された部分帯域の通信路品質情報を基準として第３の符号により表現したことを特徴とする請求項１１記載の通信システム。
【請求項１５】
前記第１のフォーマットとして、第１または第２の符号で表現された部分帯域の通信路品質情報を、時間的に前のタイミングにおいて前記第１または第２の符号で表現された部分帯域の通信路品質情報を基準として第３の符号により表現し、
前記第２のフォーマットとして、前記測定結果である部分帯域の通信路品質を、システムにて規定されている量子化レベルよりも粗い量子化レベル情報で表現したことを特徴とする請求項１３記載の通信システム。
【請求項１６】
前記第２及び第３の符号は、基準となる通信路品質に対して所定ステップ幅を増加または減少を示す符号であることを特徴とする請求項９〜１５いずれか記載の通信システム。
【請求項１７】
前記移動局は、前記第２及び第３の符号で表現された通信路品質情報に前記ステップ幅を増減した結果が、前記測定結果により近くなるステップ幅を選択する手段を更に含み、この選択されたステップ幅の情報を前記基地局に通知することを特徴とする請求項１６記載の通信システム。
【請求項１８】
前記第３の手段は、前記粗い量子化レベル情報で表現された情報を送信する場合、当該情報を複数グループに分割して各グループを別のタイミングで送信することを特徴とする請求項１１，１２，１５〜１７記載の通信システム。
【請求項１９】
移動局と基地局とを含む通信システムにおける通信方法であって、
前記移動局において、複数の部分帯域に分割された下り回線の通信帯域の１以上の部分帯域の通信路品質を測定する測定ステップと、この測定結果を上り回線により通信路品質情報として基地局へ送信する情報送信ステップとを有し、
前記移動局において、
第１のタイミングでは、前記情報送信ステップにより、前記測定ステップで測定された少なくとも１つの部分帯域の通信路品質を第１の符号により通信路品質情報として表現し、前記測定ステップで測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、
第２のタイミングでは、前記情報送信ステップにより、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする通信方法。
【請求項２０】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１のステップと、
前記第１または第２の符号で表現された部分帯域の通信路品質情報を、時間的に前のタイミングにおいて前記第１または第２の符号で表現された部分帯域の通信路品質情報を基準として第３の符号により表現する第２のステップと、
前記第１及び第２のステップにより表現された情報を択一的に基地局へ送信するステップと、
を含むことを特徴とする通信方法。
【請求項２１】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
第１または第２の符号で表現された部分帯域の通信路品質情報を、時間的に前のタイミングにおいて前記第１または第２の符号で表現された部分帯域の通信路品質情報を基準として第３の符号により表現する第１のステップと、
前記測定結果である部分帯域の通信路品質を、システムにて規定されている量子化レベルよりも粗い量子化レベル情報で表現する第２のステップと、
前記第１及び第２のステップにより表現された情報を択一的に基地局へ送信する第３のステップと、
を含むことを特徴とする通信方法。
【請求項２２】
前記第３のステップは、前記第１及び第２のステップにより表現された情報のうち、前記測定結果との誤差が少ない方を前記通信路品質情報として前記基地局へ送信することを特徴とする請求項１８または１９記載の通信方法。
【請求項２３】
複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、
前記移動局において、
第１のフォーマットに基づいて前記部分帯域の通信路品質を符号で表現する第１のステップと、
前記第１のフォーマットとは異なる第２のフォーマットに基づいて前記部分帯域の通信路品質を符号で表現する第２のステップと、
前記第１及び第２のフォーマットに基づいて表現された通信路品質と、測定した通信路品質との誤差に基づいて前記第１及び第２のフォーマットによる情報を択一的に前記基地局へ送信する第３のステップと、
を含むことを特徴する通信方法。
【請求項２４】
前記第１のフォーマットとして、前記測定結果である少なくとも１つの部分帯域の通信路品質を第１の符号により通信路品質情報として表現し、前記測定結果である前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、
前記第２のフォーマットとして、前記第１または第２の符号で表現された部分帯域の通信路品質情報を、時間的に前のタイミングにおいて前記第１または第２の符号で表現された部分帯域の通信路品質情報を基準として第３の符号により表現したことを特徴とする請求項２３記載の通信方法。
【請求項２５】
前記第１のフォーマットとして、第１または第２の符号で表現された部分帯域の通信路品質情報を、時間的に前のタイミングにおいて前記第１または第２の符号で表現された部分帯域の通信路品質情報を基準として第３の符号により表現し、
前記第２のフォーマットとして、前記測定結果である部分帯域の通信路品質を、システムにて規定されている量子化レベルよりも粗い量子化レベル情報で表現したことを特徴とする請求項２３記載の通信方法。
【請求項２６】
前記第２及び第３の符号は、基準となる通信路品質に対して所定ステップ幅を増加または減少を示す符号であることを特徴とする請求項１９〜２５いずれか記載の通信方法。
【請求項２７】
前記移動局において、前記第２及び第３の符号で表現された通信路品質情報に前記ステップ幅を増減した結果が、前記測定結果により近くなるステップ幅を選択するステップを更に含み、この選択されたステップ幅の情報を前記基地局に通知することを特徴とする請求項２６記載の通信方法。
【請求項２８】
前記第３のステップは、前記粗い量子化レベル情報で表現された情報を送信する場合、当該情報を複数グループに分割して各グループを別のタイミングで送信することを特徴とする請求項２１，２２，２５〜２７いずれか記載の通信方法。
【請求項２９】
移動通信システムにおける下り回線の通信帯域が複数の部分帯域に分割された１以上の部分帯域の通信路品質を測定する測定手段と、この測定結果を上り回線により通信路品質情報として基地局へ送信する情報送信手段とを有し、
第１のタイミングでは、前記情報送信手段により、前記測定手段で測定された少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、
第２のタイミングでは、前記情報送信手段により、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする移動局。
【請求項３０】
移動通信システムにおける下り回線の通信帯域が複数の部分帯域に分割された１以上の部分帯域の通信路品質を測定し、この測定結果を上り回線により通信路品質情報として基地局へ送信するようにした移動局であって、
前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１の手段と、
前記第１または第２の符号で表現された部分帯域の通信路品質情報を、時間的に前のタイミングにおいて前記第１または第２の符号で表現された部分帯域の通信路品質情報を基準として第３の符号により表現する第２の手段と、
前記第１及び第２の手段により表現された情報を択一的に基地局へ送信する手段と、
を含むことを特徴とする移動局。
【請求項３１】
通信システムにおける下り回線の通信帯域が複数の部分帯域に分割された１以上の部分帯域の通信路品質を測定し、この測定結果を上り回線により通信路品質情報として基地局へ送信するようにした移動局であって、
第１または第２の符号で表現された部分帯域の通信路品質情報を、時間的に前のタイミングにおいて前記第１または第２の符号で表現された部分帯域の通信路品質情報を基準として第３の符号により表現する第１の手段と、
前記測定結果である部分帯域の通信路品質を、システムにて規定されている量子化レベルよりも粗い量子化レベル情報で表現する第２の手段と、
前記第１及び第２の手段により表現された情報を択一的に基地局へ送信する第３の手段と、
を含むことを特徴とする移動局。
【請求項３２】
前記第３の手段は、前記第１及び第２の手段により表現された情報のうち、前記測定結果との誤差が少ない方を前記通信路品質情報として前記基地局へ送信することを特徴とする請求項３０または３１記載の移動局。
【請求項３３】
移動通信システムにおける下り回線の通信帯域が複数の部分帯域に分割された１以上の部分帯域の通信路品質を測定し、この測定結果を上り回線により通信路品質情報として基地局へ送信するようにした移動局であって、
第１のフォーマットに基づいて前記部分帯域の通信路品質を符号で表現する第１の手段と、
前記第１のフォーマットとは異なる第２のフォーマットに基づいて前記部分帯域の通信路品質を符号で表現する第２の手段と、
前記第１及び第２のフォーマットに基づいて表現された通信路品質と、測定した通信路品質との誤差に基づいて前記第１及び第２のフォーマットによる情報を択一的に前記基地局へ送信する第３の手段と、
を含むことを特徴する移動局。
【請求項３４】
前記第１のフォーマットとして、前記測定結果である少なくとも１つの部分帯域の通信路品質を第１の符号により通信路品質情報として表現し、前記測定結果である前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、
前記第２のフォーマットとして、前記第１または第２の符号で表現された部分帯域の通信路品質情報を、時間的に前のタイミングにおいて前記第１または第２の符号で表現された部分帯域の通信路品質情報を基準として第３の符号により表現したことを特徴とする請求項３３記載の移動局。
【請求項３５】
前記第１のフォーマットとして、第１または第２の符号で表現された部分帯域の通信路品質情報を、時間的に前のタイミングにおいて前記第１または第２の符号で表現された部分帯域の通信路品質情報を基準として第３の符号により表現し、
前記第２のフォーマットとして、前記測定結果である部分帯域の通信路品質を、システムにて規定されている量子化レベルよりも粗い量子化レベル情報で表現したことを特徴とする請求項３３記載の移動局。
【請求項３６】
前記第２及び第３の符号は、基準となる通信路品質に対して所定ステップ幅を増加または減少を示す符号であることを特徴とする請求項２９〜３５いずれか記載の移動局。
【請求項３７】
前記第２及び第３の符号で表現された通信路品質情報に前記ステップ幅を増減した結果が、前記測定結果により近くなるステップ幅を選択する手段を更に含み、
この選択されたステップ幅の情報を前記基地局に通知することを特徴とする請求項３６記載の移動局。
【請求項３８】
前記第３の手段は、前記粗い量子化レベル情報で表現された情報を送信する場合、当該情報を複数グループに分割して各グループを別のタイミングで送信することを特徴とする請求項３１，３２，３５〜３７いずれか記載の移動局。
【請求項３９】
請求項２９〜３２いずれか記載の移動局からの前記第１または第２の符号及び前記第３の符号を受信して、前記部分帯域の通信路品質を復元する手段を含むことを特徴とする基地局。
【請求項４０】
請求項３３〜３５いずれか記載の移動局からの前記第１または第２のフォーマットによる情報を受信して、部分帯域の通信路品質の復元をなす手段を含むことを特徴とする基地局。
【請求項４１】
移動通信システムにおける下り回線の通信帯域が複数の部分帯域に分割された１以上の部分帯域の通信路品質を測定する測定処理と、この測定結果を上り回線により通信路品質情報として基地局へ送信する情報送信処理とを有する移動局の動作をコンピュータに実行させるためのプログラムであって、
第１のタイミングでは、前記情報送信処理により、前記測定処理で測定された少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、
第２のタイミングでは、前記情報送信処理により、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とするプログラム。
【請求項４２】
移動通信システムにおける下り回線の通信帯域が複数の部分帯域に分割された１以上の部分帯域の通信路品質を測定し、この測定結果を上り回線により通信路品質情報として基地局へ送信するようにした移動局の動作をコンピュータに実行させるためのプログラムであって、
前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１の処理と、
前記第１または第２の符号で表現された部分帯域の通信路品質情報を、時間的に前のタイミングにおいて前記第１または第２の符号で表現された部分帯域の通信路品質情報を基準として第３の符号により表現する第２の処理と、
前記第１及び第２の処理により表現された情報を択一的に基地局へ送信する処理と、
を含むことを特徴とするプログラム。
【請求項４３】
通信システムにおける下り回線の通信帯域が複数の部分帯域に分割された１以上の部分帯域の通信路品質を測定し、この測定結果を上り回線により通信路品質情報として基地局へ送信するようにした移動局の動作をコンピュータに実行させるためのプログラムであって、
第１または第２の符号で表現された部分帯域の通信路品質情報を、時間的に前のタイミングにおいて前記第１または第２の符号で表現された部分帯域の通信路品質情報を基準として第３の符号により表現する第１の処理と、
前記測定結果である部分帯域の通信路品質を、システムにて規定されている量子化レベルよりも粗い量子化レベル情報で表現する第２の処理と、
前記第１及び第２の処理により表現された情報を択一的に基地局へ送信する第３の処理と、
を含むことを特徴とするプログラム。
【請求項４４】
移動通信システムにおける基地局の動作をコンピュータに実行させるためのプログラムであって、
請求項２９〜３２いずれか記載の移動局からの前記第１または第２の符号及び前記第３の符号を受信して、前記部分帯域の通信路品質を復元する処理を含むことを特徴とするプログラム。
【請求項４５】
移動通信システムにおける基地局の動作をコンピュータに実行させるためのプログラムであって、
請求項３３〜３５いずれか記載の移動局からの前記第１または第２のフォーマットによる情報を受信して、部分帯域の通信路品質の復元をなす処理を含むことを特徴とするプログラム。
【発明の詳細な説明】
【技術分野】
【０００１】
本発明は通信システム及びその通信方法並びにそれに用いる移動局及び基地局に関し、特に移動通信システムにおいて下りパケット通信の際に、複数の異なる帯域の下り回線の通信路品質を報告するための通信路品質報告方式に関するものである。
【背景技術】
【０００２】
無線帯域を複数の移動局で共有して通信を行うパケット通信方式には、３ＧＰＰにて標準化が行われているＨＳＤＰＡ（High Speed Downlink Packet Access ）やＬＴＥ（Long Term Evolution ）といったものがある。このようなパケット通信システムでは、移動局は下り回線で送信されるパイロットチャネルの受信品質を測定し、測定結果を通信路品質（ＣＱＩ：Channel Quality Indicator ）として上り回線で通知する。
【０００３】
受信品質とＣＱＩの対応は予め決められており、例えば、ＨＳＤＰＡでは３０レベル（５ビットの情報）のＣＱＩが定義されている。無線基地局は、移動局から報告されたＣＱＩを送信機会の割り当てを行うパケットスケジューリングや、変調方式と通信路符号化の符号化率を変える適応変調などに利用する。このように通信路品質を用いることにより、移動局毎に通信路に応じた通信を提供でき、効率良く無線帯域を利用することができる。
【０００４】
ＬＴＥの下り回線のアクセス方式にはＯＦＤＭＡ（Orthogonal Frequency Division Multiple Access ）が検討されている。システムに割り当てられている無線帯域を複数の小さな部分帯域（ＲＢ：Resource Block）に分割しておき、移動局はＲＢ毎のＣＱＩを報告する。異なる移動局にＲＢ単位でリソースを割り当てることが可能になり周波数分割多重を実現している（非特許文献１参照）。図１は、システムに割り当てられた無線帯域が１〜Ｋの合計Ｋ個のＲＢに分割された例を示している。
【０００５】
【非特許文献１】3GPP TSG RAN, TR25.814 v.1.2.0, "Physical Layer Aspects for Evolved UTRA", (2006-2)
【発明の開示】
【発明が解決しようとする課題】
【０００６】
しかしながら、システムに割り当てられる無線帯域が広くなると、下り回線の伝送速度が高くなる代わりにＲＢの数も増加する。例えば、ＬＴＥでは、ＲＢの帯域は３７５ｋＨｚ程度であり、５ＭＨｚのシステム帯域では１２分割している。ＲＢの帯域はシステム帯域の広さに依存せず一定とすることが想定されており、システムが広帯域化するほど移動局は報告しなくてはならないＣＱＩの数が増加する。
【０００７】
移動局はＣＱＩを報告するのに上り回線を利用するが、ＬＴＥでは、上り回線も共用チャネルであり、周波数分割多重をしているため、同一タイミングに送信可能な移動局の数は制限がある。特に、基地局と接続する移動局数が多くなると、上り回線での多重数を多くするには周期的な送信方法も利用することになる。
【０００８】
一方で、ＣＱＩは下り回線のスケジューリングや適応変調に利用されるので、適切な周期で通信路品質を報告できないと、移動局の通信路品質に適応したスケジューリングや適応変調を実現できないため、下り回線のスループットの低下を招く。
【０００９】
本発明の目的は、ＣＱＩ通知に要する無線資源の使用率を削減できるＣＱＩ通知方法を有する通信システム及びその方法並びにそれに用いる移動局及び基地局を提供することである。
【課題を解決するための手段】
【００１０】
本発明による通信システムは、複数の部分帯域に分割された下り回線の通信帯域の１以上の部分帯域の通信路品質を移動局で測定し、この測定結果を上り回線により通信路品質情報として基地局へ送信するようにした通信システムであって、前記移動局は、第１のタイミングでは、前記測定結果である部分帯域の通信路品質を、周波数方向の相対値情報により表現して、前記通信路品質情報として前記基地局へ送信する手段と、第２のタイミングでは、前記測定結果である部分帯域の通信路品質を、該第２のタイミングより前の部分帯域に対する時間方向の相対値情報により表現して、前記通信路品質情報として前記基地局へ送信する手段とを含むことを特徴とする。
【００１１】
本発明による通信システムは、複数の部分帯域に分割された下り回線の通信帯域の１以上の部分帯域の通信路品質を移動局で測定し、この測定結果を上り回線により通信路品質情報として基地局へ送信するようにした通信システムであって、前記移動局は、前記測定結果である部分帯域の通信路品質を周波数方向の相対値情報により表現する手段と、前記測定結果である部分帯域の通信路品質を該第２のタイミングより前の前記部分帯域に対する時間方向の相対値情報により表現する手段と、前記周波数方向の相対値情報と前記時間方向の相対値情報とのうち、前記測定結果との誤差が少ない方を前記通信路品質情報として前記基地局へ送信する手段とを含むことを特徴とする。
【００１２】
本発明による通信システムは、複数の部分帯域に分割された下り回線の通信帯域の１以上の部分帯域の通信路品質を移動局で測定し、この測定結果を上り回線により通信路品質情報として基地局へ送信するようにした通信システムであって、前記移動局は、前記測定結果である部分帯域の通信路品質を時間的に前のタイミングにおける前記部分帯域に対する時間方向の相対値情報により表現する手段と、前記測定結果である部分帯域の通信路品質を、システムにて規定されている量子化レベルよりも粗い量子化レベル情報で表現する手段と、前記時間方向の相対値情報と前記量子化レベル情報とのうち、前記測定結果との誤差が少ない方を前記通信路品質情報として前記基地局へ送信する手段とを含むことを特徴とする。
【００１３】
本発明による通信方法は、複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、前記移動局におい、第１のタイミングでは、前記測定結果である部分帯域の通信路品質を、周波数方向の相対値情報により表現して、前記通信路品質情報として前記基地局へ送信するステップと、第２のタイミングでは、前記測定結果である部分帯域の通信路品質を、該第２のタイミングより前の部分帯域に対する時間方向の相対値情報により表現して、前記通信路品質情報として前記基地局へ送信するステップとを含むことを特徴とする。
【００１４】
本発明による通信方法は、複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、前記移動局において、前記測定結果である部分帯域の通信路品質を周波数方向の相対値情報により表現するステップと、前記測定結果である部分帯域の通信路品質を該第２のタイミングより前の前記部分帯域に対する時間方向の相対値情報により表現するステップと、前記周波数方向の相対値情報と前記時間方向の相対値情報とのうち、前記測定結果との誤差が少ない方を前記通信路品質情報として前記基地局へ送信するステップとを含むことを特徴とする。
【００１５】
本発明による通信方法は、複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、前記移動局において、前記測定結果である部分帯域の通信路品質を前のタイミングにおける前記部分帯域に対する時間方向の相対値情報により表現するステップと、前記測定結果である部分帯域の通信路品質を、システムにて規定されている量子化レベルよりも粗い量子化レベル情報で表現するステップと、前記時間方向の相対値情報と前記量子化レベル情報とのうち、前記測定結果との誤差が少ない方を前記通信路品質情報として前記基地局へ送信するステップとを含むことを特徴とする。
【００１６】
本発明による通信システムは、移動局と基地局とを含む通信システムであって、前記移動局は、複数の部分帯域に分割された下り回線の通信帯域の１以上の部分帯域の通信路品質を測定する測定手段と、この測定結果を上り回線により通信路品質情報として基地局へ送信する情報送信手段とを有し、前記移動局は、第１のタイミングでは、前記情報送信手段により、前記測定手段で測定された少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、第２のタイミングでは、前記情報送信手段により、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする。
【００１７】
本発明による通信システムは、移動局が複数の部分帯域に分割された下り回線の通信帯域の１以上の部分帯域の通信路品質を測定し、この測定結果を上り回線により通信路品質情報として基地局へ送信するようにした通信システムであって、前記移動局は、前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１の手段と、前記第１または第２の符号で表現された部分帯域の通信路品質情報を、時間的に前のタイミングにおいて前記第１または第２の符号で表現された部分帯域の通信路品質情報を基準として第３の符号により表現する第２の手段と、前記第１及び第２の手段により表現された情報を択一的に基地局へ送信する手段とを含むことを特徴とする。
【００１８】
本発明による通信システムは、複数の部分帯域に分割された下り回線の通信帯域の１以上の部分帯域の通信路品質を移動局で測定し、この測定結果を上り回線により通信路品質情報として基地局へ送信するようにした通信システムであって、前記移動局は、第１または第２の符号で表現された部分帯域の通信路品質情報を、時間的に前のタイミングにおいて前記第１または第２の符号で表現された部分帯域の通信路品質情報を基準として第３の符号により表現する第１の手段と、前記測定結果である部分帯域の通信路品質を、システムにて規定されている量子化レベルよりも粗い量子化レベル情報で表現する第２の手段と、前記第１及び第２の手段により表現された情報を択一的に基地局へ送信する第３の手段とを含むことを特徴とする。
【００１９】
本発明による通信システムは、複数の部分帯域に分割された下り回線の通信帯域の１以上の部分帯域の通信路品質を移動局で測定し、この測定結果を上り回線により通信路品質情報として基地局へ送信するようにした通信システムであって、前記移動局は、第１のフォーマットに基づいて前記部分帯域の通信路品質を符号で表現する手段と、前記第１のフォーマットとは異なる第２のフォーマットに基づいて前記部分帯域の通信路品質を符号で表現する手段と、前記第１及び第２のフォーマットに基づいて表現された通信路品質と、測定した通信路品質との誤差に基づいて前記第１及び第２のフォーマットによる情報を択一的に前記基地局へ送信する手段とを含むことを特徴する。
【００２０】
本発明による通信方法は、移動局と基地局とを含む通信システムにおける通信方法であって、前記移動局において、複数の部分帯域に分割された下り回線の通信帯域の１以上の部分帯域の通信路品質を測定する測定ステップと、この測定結果を上り回線により通信路品質情報として基地局へ送信する情報送信ステップとを有し、前記移動局において、第１のタイミングでは、前記情報送信ステップにより、前記測定ステップで測定された少なくとも１つの部分帯域の通信路品質を第１の符号により通信路品質情報として表現し、前記測定ステップで測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、第２のタイミングでは、前記情報送信ステップにより、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする。
【００２１】
本発明による通信方法は、複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、前記移動局において、前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１のステップと、前記第１または第２の符号で表現された部分帯域の通信路品質情報を、時間的に前のタイミングにおいて前記第１または第２の符号で表現された部分帯域の通信路品質情報を基準として第３の符号により表現する第２のステップと、前記第１及び第２のステップにより表現された情報を択一的に基地局へ送信するステップとを含むことを特徴とする。
【００２２】
本発明による通信方法は、複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、前記移動局において、第１または第２の符号で表現された部分帯域の通信路品質情報を、時間的に前のタイミングにおいて前記第１または第２の符号で表現された部分帯域の通信路品質情報を基準として第３の符号により表現する第１のステップと、前記測定結果である部分帯域の通信路品質を、システムにて規定されている量子化レベルよりも粗い量子化レベル情報で表現する第２のステップと、前記第１及び第２のステップにより表現された情報を択一的に基地局へ送信する第３のステップとを含むことを特徴とする。
【００２３】
本発明による通信方法は、複数の部分帯域に分割された下り回線の通信帯域の１以上の部分帯域の通信路品質を移動局で測定し、この測定結果を上り回線により通信路品質情報として基地局へ送信するようにした通信システムにおける通信方法であって、前記移動局において、第１のフォーマットに基づいて前記部分帯域の通信路品質を符号で表現するステップと、前記第１のフォーマットとは異なる第２のフォーマットに基づいて前記部分帯域の通信路品質を符号で表現するステップと、前記第１及び第２のフォーマットに基づいて表現された通信路品質と、測定した通信路品質との誤差に基づいて前記第１及び第２のフォーマットによる情報を択一的に前記基地局へ送信するステップとを含むことを特徴する。
【００２４】
本発明による移動局は、移動通信システムにおける下り回線の通信帯域が複数の部分帯域に分割された１以上の部分帯域の通信路品質を測定する測定手段と、この測定結果を上り回線により通信路品質情報として基地局へ送信する情報送信手段とを有し、第１のタイミングでは、前記情報送信手段により、前記測定手段で測定された少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、第２のタイミングでは、前記情報送信手段により、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする。
【００２５】
本発明による移動局は、移動通信システムにおける下り回線の通信帯域が複数の部分帯域に分割された１以上の部分帯域の通信路品質を測定し、この測定結果を上り回線により通信路品質情報として基地局へ送信するようにした移動局であって、前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１の手段と、前記第１または第２の符号で表現された部分帯域の通信路品質情報を、時間的に前のタイミングにおいて前記第１または第２の符号で表現された部分帯域の通信路品質情報を基準として第３の符号により表現する第２の手段と、前記第１及び第２の手段により表現された情報を択一的に基地局へ送信する手段とを含むことを特徴とする。
【００２６】
本発明による移動局は、通信システムにおける下り回線の通信帯域が複数の部分帯域に分割された１以上の部分帯域の通信路品質を測定し、この測定結果を上り回線により通信路品質情報として基地局へ送信するようにした移動局であって、第１または第２の符号で表現された部分帯域の通信路品質情報を、時間的に前のタイミングにおいて前記第１または第２の符号で表現された部分帯域の通信路品質情報を基準として第３の符号により表現する第１の手段と、前記測定結果である部分帯域の通信路品質を、システムにて規定されている量子化レベルよりも粗い量子化レベル情報で表現する第２の手段と、前記第１及び第２の手段により表現された情報を択一的に基地局へ送信する第３の手段とを含むことを特徴とする。
【００２７】
本発明による移動局は、移動通信システムにおける下り回線の通信帯域が複数の部分帯域に分割された１以上の部分帯域の通信路品質を測定し、この測定結果を上り回線により通信路品質情報として基地局へ送信するようにした移動局であって、第１のフォーマットに基づいて前記部分帯域の通信路品質を符号で表現する手段と、前記第１のフォーマットとは異なる第２のフォーマットに基づいて前記部分帯域の通信路品質を符号で表現する手段と、前記第１及び第２のフォーマットに基づいて表現された通信路品質と、測定した通信路品質との誤差に基づいて前記第１及び第２のフォーマットによる情報を択一的に前記基地局へ送信する手段とを含むことを特徴する。
【００２８】
本発明による基地局は、移動局からの前記第１または第２及び第３の符号を受信して、前記部分帯域の通信路品質を復元する手段を含むことを特徴とすし、また前記第１または第２のフォーマットによる情報を受信して、部分帯域の通信路品質の復元をなす手段を含むことを特徴とする。
【００２９】
本発明によるプログラムは、移動通信システムにおける下り回線の通信帯域が複数の部分帯域に分割された１以上の部分帯域の通信路品質を測定する測定処理と、この測定結果を上り回線により通信路品質情報として基地局へ送信する情報送信処理とを有する移動局の動作をコンピュータに実行させるためのプログラムであって、第１のタイミングでは、前記情報送信処理により、前記測定処理で測定された少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現し、前記第１または第２の符号で表現された通信路品質情報を基地局へ送信し、第２のタイミングでは、前記情報送信処理により、前記第１または第２の符号で表現された部分帯域の通信路品質情報を、該タイミング以外のタイミングにおいて前記第１または第２の符号で表現された部分帯域の通信路品質情報を基準として第３の符号により表現し、前記第３の符号で表現された通信路品質情報を基地局へ送信することを特徴とする。
【００３０】
本発明によるプログラムは、移動通信システムにおける下り回線の通信帯域が複数の部分帯域に分割された１以上の部分帯域の通信路品質を測定し、この測定結果を上り回線により通信路品質情報として基地局へ送信するようにした移動局の動作をコンピュータに実行させるためのプログラムであって、前記測定結果である少なくとも１つの部分帯域の通信路品質を第１の符号により通信路品質情報として表現し、前記測定手段で測定された前記第１の符号で表現された部分帯域とは異なる少なくとも１つの部分帯域の通信路品質を、前記第１の符号で表現されたいずれかの部分帯域の通信路品質を基準として第２の符号により通信路品質情報として表現する第１の処理と、前記第１または第２の符号で表現された部分帯域の通信路品質情報を、時間的に前のタイミングにおいて前記第１または第２の符号で表現された部分帯域の通信路品質情報を基準として第３の符号により表現する第２の処理と、前記第１及び第２の処理により表現された情報を択一的に基地局へ送信する処理とを含むことを特徴とする。
【００３１】
本発明によるプログラムは、通信システムにおける下り回線の通信帯域が複数の部分帯域に分割された１以上の部分帯域の通信路品質を測定し、この測定結果を上り回線により通信路品質情報として基地局へ送信するようにした移動局の動作をコンピュータに実行させるためのプログラムであって、第１または第２の符号で表現された部分帯域の通信路品質情報を、時間的に前のタイミングにおいて前記第１または第２の符号で表現された部分帯域の通信路品質情報を基準として第３の符号により表現する第１の処理と、前記測定結果である部分帯域の通信路品質を、システムにて規定されている量子化レベルよりも粗い量子化レベル情報で表現する第２の処理と、前記第１及び第２の処理により表現された情報を択一的に基地局へ送信する第３の処理とを含むことを特徴とする。
【００３２】
本発明によるプログラムは、移動通信システムにおける基地局の動作をコンピュータに実行させるためのプログラムであって、移動局からの前記第１または第２の符号及び前記第３の符号を受信して、前記部分帯域の通信路品質を復元する処理を含むことを特徴とする。
【００３３】
本発明によるプログラムは、移動通信システムにおける基地局の動作をコンピュータに実行させるためのプログラムであって、移動局からの前記第１または第２のフォーマットによる情報を受信して、部分帯域の通信路品質の復元をなす処理を含むことを特徴とする。
【発明の効果】
【００３４】
本発明によれば、ＣＱＩ通知に要する無線資源の使用率を削減することができる。これにより、上り回線におけるオーバヘッドの減少や、上り回線データ送信のための無線使用効率の向上などの効果を期待することができる。そして、上り回線の容量やスループット、基地局のサービスエリアのカバレッジなどの向上も期待することができる。
【発明を実施するための最良の形態】
【００３５】
以下に、図面を参照しつつ本発明について詳細に説明する。前述したように、各ＲＢのＣＱＩ情報を絶対値で通知する方式では、ＣＱＩ通知に要する無線資源の使用率が増大するので、これを解決するためには、各ＲＢのＣＱＩ情報を絶対値で通知するのではなく、相対値情報を通知することで無線資源を節約するような方法が考えられる。なお、相対値情報は、差異情報や差分情報などとも表現される。
【００３６】
具体的に、このような相対値情報を用いた通知方法としては、例えば、図２に示したような方法が考えられる。図２に示した通知方法では、無線レイヤにおける単位送信時間（ここでは、フレームと呼ぶ）で各ＲＢのＣＱＩの絶対値情報または相対値情報を通知するが、一部のフレームにおけるＣＱＩについては絶対値情報を通知するようにし、それ以外のフレームにおけるＣＱＩについては相対値情報を通知するようにする。このとき、相対値情報は、相対値算出対象のＲＢと同じＲＢの直前のフレームで得られたＣＱＩ値を基準として、当該対象ＲＢにおけるＣＱＩ値が基準より大か小に基づいて生成される。
また、上位レイヤからのデータブロックを送信する単位時間としてＴＴＩ（Transmission Time Interval）と呼ばれるものがある。以後は、１ＴＴＩは１フレームとして説明するが、本発明はそれのみに限らず、１ＴＴＩを１フレームよりも大きく設定することも可能である。また、無線レイヤにおける単位送信時間を「フレーム」と称し、所定数のサブフレームの固りを「フレーム」と称するようなシステムもあるが、本明細書では、単位時間送信時間を「フレーム」と称するものとする。
【００３７】
例えば、図２を参照すると、１フレーム目と５フレーム目のタイミングにおいては、各ＲＢのＣＱＩの絶対値情報Ａ（Absolute value）を通知し、それ以外の各フレームのタイミングでは、各ＲＢの直前のフレームにおけるＣＱＩ値を基準として算出された時間軸方向の相対値情報Ｒ（Relative Value）（以下、時間相対値情報または略して時間相対値と称す）を通知する。こうすることにより、ＲＢの数が８であり、各ＲＢのＣＱＩの絶対値情報Ａが５ビットであり、相対値情報Ｒが１ビット（１ステップ幅の増減を示すための“１”か“０”の情報）であるとすれば、１フレーム目と５フレーム目のタイミングにおいては、４０ビットの情報が必要であるが、それ以外のフレームタイミングでは、それぞれ８ビットの少ない情報で足りることになる。
【００３８】
ここで、図２に示したように、絶対値情報Ａは所定周期で通知することが望ましい。なぜならば、第１に、ＣＱＩ通知開始時には相対値の基準値を示すために、絶対値情報が必要とされるからである。また、第２に、基地局において相対値情報の受信誤りが生じると、移動局と基地局で各々更新しているＣＱＩ値にずれが生じてしまい、移動局と基地局間でのＣＱＩ値のずれが伝播してしまう。移動局と基地局との間でのＣＱＩ値のずれについて図３の例を用いて説明する。図３では、時刻（フレーム）ｔ＋１からｔ＋６における移動局、基地局でのＣＱＩ値、移動局、基地局での時刻ｔ＋２からｔ＋６における時間相対値情報を図示している。ここで、“Ｄ”はＣＱＩ値を１ステップ幅減少させる時間相対値情報を示し、“Ｕ”はＣＱＩ値を１ステップ幅増加させる時間相対値情報を示している。そして時刻ｔ＋１でのＣＱＩ値が１０で、ステップ幅が１となっている。この図３においては、時刻ｔ＋２のＣＱＩ値を基準として算出された時刻ｔ＋３のＣＱＩ値の時間相対値情報の受信誤りが発生した結果、基地局における時刻ｔ＋３のＣＱＩ値と移動局の時刻ｔ＋３のＣＱＩ値の間にずれが生じ、時刻ｔ＋４以降のフレームのＣＱＩ値にずれが伝播してしまっている。図３において、移動局と基地局との間でＣＱＩ値にずれが生じているフレームは斜線により示されている。このような、ずれの伝播をリセットするために、周期的に絶対値情報を通知することは効果的である。
【００３９】
しかしながら、このような方式においても、絶対値情報を通知するフレームでは、相対値情報を通知するフレームに比べて、送信すべき情報ビット数が非常に大きくなり、上り回線の無線資源を消費するという問題が生じている。また、ＣＱＩ値の時間変動が大きい場合、相対値情報では変動に追従できず、移動局が測定したＣＱＩ値に対する基地局が通知されるＣＱＩ値の誤差が大きくなり、正確なスケジューリングや適応変調が行えない等の問題も生じ得る。
【００４０】
そこで、本発明では、ＣＱＩ値の送信ビット数を更に減少させて上り回線の無線資源の使用率の削減を実現する。以下に、本発明の実施の形態について詳述する。
【００４１】
図４は本発明の全ての実施の形態に共通するシステムの構成を説明する図である。システム内には、複数の基地局４００〜４０３と、各基地局に接続する複数の移動局４１０〜４１４とが存在する。各基地局は、パイロット信号を所定の周波数キャリアに多重し、基地局固有のスクランブリングコードを乗算して毎フレーム送信する。ここで、図５に示すように、所定数の周波数キャリアの固まりをＲＢ（Resource Block）と呼び、１ＲＢに少なくとも一つのパイロット信号を多重するものとする。また、１つのＣＱＩ値に対応する部分帯域は１または複数のＲＢからなるものとし、以後の説明では、部分帯域は１ＲＢとして説明する。
【００４２】
移動局は、接続中の基地局（以下ＢＳ：Base Station）と上り（ＵＬ）／下り（ＤＬ）回線の制御チャネル並びに下り回線のデータチャネルを送受信し、下り回線のパケット伝送を行っている。各移動局は、ＢＳが送信するＲＢ内のパイロット信号の受信品質に基づいて各ＲＢのチャネル品質を示す信号（以下、ＣＱＩと称す）を上り回線制御チャネルで送信する。ここで、受信品質とは、例えば、パイロット信号の受信電力対干渉電力（ＳＩＲ）を用いてもよいし、パイロット信号の受信電力レベルを用いてもよいが、以降の説明では、ＣＱＩ値は、パイロット信号の受信ＳＩＲに基づいて決定した適切な送信形式（変調方式やブロックサイズなど）とする。なお、受信品質に基づいてＣＱＩ値を決定することを、ＣＱＩを測定するとも表現する。
【００４３】
送信形式としてのＣＱＩ値は、たとえば以下のように求めることができる。まず、移動局はパイロット信号の受信電力から通信路品質を推定する。推定した通信路品質において、基地局が仮送信電力で送信した場合に、フレームのトランスポートブロックエラー率が所定の値を超えないようなＲＢ毎の送信形式をＣＱＩ測定部はCQI 値として求める。
【００４４】
そして、仮送信電力は、
・ＲＢに含まれるパイロットの電力と同じとする、
・ＲＢに含まれるパイロットの電力と所定のオフセットとの加算／減算とする、
・ＲＢに含まれるパイロットの電力と所定のオフセットとの加算／減算に、さらに所定の参照調整オフセットとの加算／減算とする、
のような、いずれかのパイロットを基準に調整するような算出方法により算出することができる。
【００４５】
また、上記のように加算／減算により算出するのではなく、パイロットの電力に所定の係数を掛けることで仮送信電力を算出方法などもとり得る。ここで、上記所定のオフセットや上記所定の参照調整オフセットは、外部からネットワーク経由で与えられるか、または移動局内のテーブルを参照するなどで得ることができる。
【００４６】
そして、基地局は通知されたＣＱＩ信号などに基づいて移動局に対する無線リソース（ＲＢ等）の割り当てをスケジューリングする。例えば、スケジューラはデータ送信に用いる各ＲＢに対して、データ送信待ちである移動局の中で、そのＲＢのチャネル品質が最良である移動局に優先的にそのＲＢを割当てるようにスケジューリングしてもよい。また、基地局は、下り回線の制御信号において各移動局に割当てるＲＢ番号、データサイズ、変調方式など受信処理に必要なデータ送信形式に関する信号を制御チャネルで送信する。その後、所定時間後に指定したデータ送信形式を用いてデータチャネルでデータを送信する。
【００４７】
ここで、本発明の実施の形態における移動局のスケジューリングの方法は、上記で説明したものには限らない。例えば、各ＲＢにおいて、平均受信品質に対する瞬時受信品質が最良である移動局を優先的に選択するようにし、移動局間の公平度を高めるような、いわゆるプロポーショナルフェアネスと呼ばれるようなスケジューラを用いてもよい。
【００４８】
＜第１の実施の形態＞
第１の実施の形態では、時間相対値情報に基づいたＣＱＩ信号通知を基本とし、所定周期で基準ＲＢのＣＱＩ値の絶対値情報とその他のＲＢの周波数方向の相対値情報（以下、周波数相対値情報または略して周波数相対値と称す）に基づいたＣＱＩ信号を通知するようにする。図３を用いて説明したように、時間相対値情報に基づいたＣＱＩ信号を用いる場合、あるフレームで基地局において受信誤りが生じると、移動局と基地局におけるＣＱＩ値のずれは、その後のフレームに伝播する。そこで、本実施の形態では、このようなずれを所定周期でリセットするために、基準ＲＢのＣＱＩ値の絶対値情報とその他のＲＢの周波数相対値情報とを通知するようにする。
【００４９】
図６は本実施の形態の動作原理を説明するための図である。図２と同様に、Ａは絶対値情報を示し、Ｒは相対値情報を示している。なお、相対値情報Ｒには、時間軸方向の時間相対値情報と周波数軸方向の周波数相対値情報とがあり、図６では、移動局と基地局におけるＣＱＩ値のずれをリセットするための１フレーム目と５フレーム目のタイミングにおいては、基準ＲＢのＣＱＩ値を絶対値情報Ａとして表し、この基準ＲＢを基準として周波数の高低方向に順次ＣＱＩ値の差分を用いて周波数相対値Ｒとしている。この１フレーム目と５フレーム目のタイミングでの基準RBでの絶対値情報と他のRBでの周波数軸方向の相対値情報によるCQI 値の表現を、以下では周波数相対値表記と称する。また、他のフレームのタイミングにおいては、時間的に相前後し（異なり）かつ同一のＲＢ同士でＣＱＩ値の差分を用いて時間相対値Ｒとしている。これらのフレームのタイミングでの時間相対値によるＣＱＩ値の表現を、以下では時間相対値表記と称する。
【００５０】
例えば、本例でも、絶対値情報Ａを５ビット、相対値情報Ｒを１ビットとすれば、図示するように、ＣＱＩ値のずれをリセットするための１フレーム目と５フレーム目のタイミングにおけるＣＱＩ値の情報量は１２ビットとなり、図２の場合よりも更に少なくなる。
【００５１】
この第１の実施の形態の移動局と基地局の構成を図７と図８に示す。移動局は、図７に示すように、各ＲＢのＣＱＩ値を測定するためのＣＱＩ測定部６０１と、測定ＣＱＩ値や時間相対値情報Ｒを算出するために前回のＣＱＩ値を記録しておくＭＳ（Mobile Station）−ＣＱＩ値記録部６０２と、周波数相対値Ｒを算出するために必要となる基準ＲＢ（図６の絶対値情報Ａに相当するＲＢ）を決定する基準ＲＢ決定部６０３と、時間相対値情報および周波数相対値情報を計算する相対値計算部６０４と、この相対値計算部６０４により算出された算出情報を用いて基地局へ送信するためのＣＱＩ情報を生成するＣＱＩ情報生成部６０８とを含む。なお、図７における各部は、図示せぬ制御手段などにより、互いにフレーム同期して動作しているものとする。
【００５２】
そして、相対値計算部６０４は、時間相対値情報を算出する時間相対値計算部６０５と、周波数相対値情報を算出する周波数相対値計算部６０７と、時間相対値算出部６０５または周波数相対値算出部６０７のいずれかに択一的に相対値情報を算出させるのかを決定する決定部６０６とから構成される。周波数相対値計算部６０７は、基準ＲＢ決定部６０３により決定された基準ＲＢとＣＱＩ測定部６０１による測定結果とを用いて、周波数相対値情報を算出して、その結果をＣＱＩ情報生成部６０８に送信し、さらにＭＳ−ＣＱＩ値記録部６０２に算出の過程で得られた復元値を記録する。時間相対値計算部６０５は、ＣＱＩ測定部６０１による現在の測定結果とＭＳ−ＣＱＩ値記録部６０２に記録されている前回の復元値（その詳細は後述する）とを用いて、時間相対値情報を算出して、その結果をＣＱＩ情報生成部６０８に送信し、さらにＭＳ−ＣＱＩ値記録部６０２に算出の過程で得られた復元値を記録する。ＣＱＩ情報生成部６０８は、時間相対値算出部６０５または周波数相対値算出部６０７から受け取った相対値情報を後述するフォーマットに整形して、図示しない制御信号送信部へ送信する。
【００５３】
基地局は、図８に示すように、移動局からの制御信号を受信する制御信号受信部（図示せず）により得られたＣＱＩ情報を受信するＣＱＩ受信部７０１と、この受信情報に基づいて各ＲＢのＣＱＩ値を復元してスケジューラ適応変調部（図示せず）へ送出するＣＱＩ復元部７０２と、時間相対値情報のＣＱＩ値の復元に必要な復元値（後述する）を後で読み出すために記録しておくＢＳ（Base Station）−ＣＱＩ値記録部７０３とを含む。なお、その他の機能については、従来の移動局や基地局と同じであるため省略している。
【００５４】
先ず、図９のフローチャートを用いて、移動局の動作を説明する。移動局は、パイロット信号の受信品質をＣＱＩ測定部６０１にてＣＱＩを測定し、ＲＢ毎のＣＱＩ値を得る（ステップＳ８０１）。
【００５５】
相対値計算部６０４に含まれる決定部６０６は、フレーム毎に、時間相対値表記を用いるか、周波数相対値表記を用いるかを決定する（ステップＳ８０２）。この決定方法は、本実施の形態では、一例として、所定数Ｎフレーム毎に周波数相対値表記を用い、それ以外のフレームでは時間相対値表記を用いるようにする。すなわち、フレーム番号ｊのフレームでは、
ｍｏｄ（ｊ，Ｎ）＝０の場合：周波数相対値表記（ステップＳ８０３のＹＥＳ）
ｍｏｄ（ｊ，Ｎ）＞０の場合：時間相対値表記（ステップＳ８０３のＮＯ）
と決定するようにする。
【００５６】
しかし、本発明の範囲はこれだけに限定はされず、所定のルールに従って適当な時間間隔で周波数相対値表記を用い、それ以外のフレームでは時間相対値表記を用いるようにすればよい。また、基地局は、所定数Ｎや所定のルールをネットワーク経由で与えられるなどして、予め既知であるものとする。
【００５７】
以上のような方法で、決定部６０６が当該フレームにおいて時間相対値表記を用いると決定した場合は、時間相対値算出部６０５において、各RBの時間相対値情報を算出して、ＣＱＩ情報生成部６０８へ算出結果を送信し、さらにＭＳ−ＣＱＩ値記録部６０２に復元値を記録する（ステップＳ８０４）。周波数相対値を用いると決定した場合は、周波数相対値算出部６０７において基準RB以外の周波数相対値情報を算出して、ＣＱＩ情報生成部６０８へ基準ＲＢのＣＱＩ値とともに算出結果を送信し、さらにＭＳ−ＣＱＩ値記録部６０２に復元値を記録する（ステップＳ８０５）。ＣＱＩ情報生成部６０８は、時間相対値情報の場合は、図１０に示したフォーマット１を用いて、また周波数相対値情報の場合は、図１１に示したフォーマット２を用いて、ＣＱＩ信号をそれぞれ生成し（ステップＳ８０６／８０７）、図示せぬ制御信号送信部へ送る（ステップＳ８０８）。
【００５８】
図１０のフォーマット１は、時間相対値情報（図６のフレーム２，３，４または６の各フレームでのＲＢのＲ）とステップ幅情報とからなっており、図１１のフォーマット２は、基準ＲＢのＣＱＩ値（図６のフレーム１，５のＡ）と、周波数相対値情報（図６のフレーム１または５の各フレームでのＲＢのＲ）と、ＣＱＩ値を増減させるための幅を示すステップ幅情報とからなっており、これらの各情報の具体例は後述する。ここで、時間および周波数相対値情報はＲＢ番号ｋの小さいほうから順に並べるようにする。なお、周波数相対値情報には、基準ＲＢの相対値情報は含まれない。
【００５９】
また、ステップ幅情報は、予め移動局と基地局で複数のステップ幅と番号の対応表を用意しておき、移動局は選択したステップ幅の番号をステップ幅情報として通知するようにすることができる。但し、ここで示すフォーマットは一例であり、異なる信号フォーマットを使用して送信してもよい。
【００６０】
以下に、ステップＳ８０４における時間相対値情報Ｒの算出方法およびこれを用いたＣＱＩ情報の生成方法を、図１２を用いて詳細に説明する。以下の動作を図８における時間相対値計算部６０５が行う。先ず、ＲＢ番号ｋをｋ＝１に設定する（ステップＳ９０１）。ＲＢのＣＱＩ値を、ＭＳ−ＣＱＩ値記録部６０２に記録されている前回の復元値であるＣＱＩ値と比較する（ステップＳ９０２）。ここで、ＣＱＩ（ｋ；ｔ）はＲＢ番号ｋの時刻（フレーム）ｔのＣＱＩ値を表すとすると、時間相対値RelativeＣＱＩ（ｋ）（ｋは１〜Ｋを表す整数で、ＫはＲＢの総数）は次式で計算する（ステップＳ９０３または９０４）。また、前回の復元値であるＣＱＩ値（ＣＱＩ（ｋ；ｔ−１））が記録されていない場合などは、予め規定されているデフォルト値を用いるなどとすることができる。
【００６１】
ＣＱＩ（ｋ；ｔ）＞ＣＱＩ（ｋ；ｔ−１）の場合：
RelativeＣＱＩ（ｋ）＝１  ……（１）
ＣＱＩ（ｋ；ｔ）≦ＣＱＩ（ｋ；ｔ−１）の場合：
RelativeＣＱＩ（ｋ）＝０  ……（２）
なお、（１），（２）式の不等号に関しては、（１）式で≧とし、（２）式で＜としても良い（以下同じ）。
次のＲＢでの計算を行うために、ＲＢ番号ｋを加算し（ステップＳ９０５）、ｋがＲＢの総数であるＫより大きくなければ（ステップＳ９０６、ＮＯ）、ステップＳ９０２へ戻り全てのＲＢについて算出するまで繰り返す（ステップＳ９０２からＳ９０６）。
【００６２】
次に、比較結果とステップ幅Ｓを使って復元値ReＣＱＩ（ｋ；i ）を計算し、ステップ幅を決定する。まず、ステップ幅Ｓ選択のための変数ｉを１に設定し（ステップＳ９０７）、最初のステップ幅Ｓをａｉとする（ステップＳ９０８）。そして、RB番号ｋをｋ＝１に設定し（ステップＳ９０９）、以下の計算を行う。
RelativeＣＱＩ（ｋ）＝１の場合：
ReＣＱＩ（ｋ；ｉ）＝ＣＱＩ（ｋ；ｔ−１）＋Ｓ
RelativeＣＱＩ（ｋ）＝０の場合：
ReＣＱＩ（ｋ；ｉ）＝ＣＱＩ（ｋ；ｔ−１）−Ｓ
次のＲＢでの計算を行うために、ＲＢ番号ｋを加算し（ステップＳ９１３）、全てのＲＢについてを算出するまで繰り返す（ステップＳ９１０からＳ９１４）。
【００６３】
ここで、Ｉは整数であるが、Ｉを２以上の整数として、ステップ幅Ｓは予め複数用意しておいてもよい。その場合、ステップ幅番号ｉを加算し（ステップＳ９１５）、ステップＳ９０８からステップＳ９１６を実行することで、ステップ幅毎に復元値の算出を行う。そしてそれら算出したステップ幅毎の復元値ReＣＱＩ（ｋ：ｉ）と判定したＣＱＩ値との誤差が最も小さいステップ幅を選択する（ステップＳ９１７）。このステップ幅の選択方法としては、最小２乗法で最適な値を計算してから、その値に近いステップ幅を選ぶような方法もある。誤差の計算方法は、全てのＲＢの誤差の絶対値の和を使えばよい。あるいは、測定したＣＱＩが最大となるＲＢの誤差を使っても良い。更には、上位Ｍ（Ｍは１以上の整数）となるＲＢの誤差の和を使っても良い。そして、ＭＳ−ＣＱＩ値記録部６０２に、誤差が最小となるステップ幅（ｉ＝ｉ０）で計算した復元値ReＣＱＩ（ｋ；ｉ０）をＣＱＩ（ｋ；ｔ）（ｋ＝１，…，Ｋ）として記録する（ステップＳ９１８）。そして、ＣＱＩ情報生成部６０８に対して、時間相対値情報RelativeＣＱＩ（ｋ，ｉ０）（ｋ＝１，…，Ｋ）と選択したステップ幅ａｉ０を通知し、ＣＱＩ情報生成部６０８は、通知された情報に基づいて図１０に示した送信フォーマット１を生成する。
【００６４】
また、本例では、比較結果を大か小の２段階で示して１ビット表記としているが、２ビット表記として、４段階標記としてもよい。例えば、ステップ幅をＳとして、時刻ｔにおけるＣＱＩ値と時刻（ｔ−１）におけるＣＱＩ値に４レベルの異なるステップ幅を加えた値との誤差Ｅrrを以下のように計算し、最も誤差の小さくなるようなステップ幅を示す２ビット表記を送るようにしてもよい。
【００６５】
Ｅrr（ｋ；"11"）＝｜ＣＱＩ（ｋ；ｔ）−ＣＱＩ（ｋ；ｔ−１）＋３×Ｓ｜
Ｅrr（ｋ；"01"）＝｜ＣＱＩ（ｋ；ｔ）−ＣＱＩ（ｋ；ｔ−１）＋Ｓ｜
Ｅrr（ｋ；"00"）＝｜ＣＱＩ（ｋ；ｔ）−ＣＱＩ（ｋ；ｔ−１）−Ｓ｜
Ｅrr（ｋ；"10"）＝｜ＣＱＩ（ｋ；ｔ）−ＣＱＩ（ｋ；ｔ−１）−３×Ｓ｜
例えば、以上の４つの値の中でＥrr（ｋ；”０１”）が最も小さい場合、“０１”をＣＱＩ情報として送るようにし、復元値はＣＱＩ（ｋ；ｔ）＝ＣＱＩ（ｋ；ｔ−１）−３×Ｓとして算出する。
【００６６】
図１３に上述した移動局の図１２でのステップＳ９０３またはＳ９０４、およびステップＳ９１２、Ｓ９１３における計算動作例を示す。ここでは、ステップ幅Ｓの大きさが２の場合について示している。図１３において、各ＲＢについて、前回復元値（記録値）に対して時刻ｔにおけるＣＱＩ値の方が大きい場合は１、小さい場合は０とする時間相対値情報を算出する（ステップＳ９０３またはＳ９０４）。そして、相対値情報が１の場合は前回の復元値にステップ幅を加算し、相対値情報が０の場合は前回の復元値からステップ幅を減算することで各ＲＢの復元値を算出する（ステップＳ９１２、Ｓ９１３）。なお、ステップ幅の選択については、上述のように復元値の誤差が今回の測定値に最も近いものを選択するようにすることができる。こうして得られた相対値情報とステップ幅情報とが先述したフォーマット１として生成されるのである。なお、本例は単に一例を示すものであり、種々の変形が可能であることは勿論である。
【００６７】
次に、図９のステップＳ８０５における周波数相対値情報Ｒの算出方法およびこれを用いたＣＱＩ情報の生成方法を、図１４を用いて説明する。以下の動作を周波数相対値計算部６０７が行う。先ず、周波数相対値計算部６０７は、ステップ幅Ｓ選択のための変数ｉを１に設定し（ステップＳ１００１）、最初のステップ幅Ｓをａｉとする（ステップＳ１００２）。そして、基準ＲＢ決定部６０３は、所定の規則で基準となるＲＢの基準ＲＢ番号ｋ0 を決定し、ＲＢ番号ｋにｋ0-1 を設定する（ステップＳ１００３）。この基準ＲＢの番号ｋ0 の決定方法としては、例えば、フレーム番号を用いて初期値を決め、そのＲＢから全てのＲＢをＲＢの番号順に巡回すればよい。その他の方法としては、事前に通知されたＲＢ番号を用いる方法や、最大値、最小値、中間値のＲＢ番号を用いる方法などがあり、またシステムに応じてＲＢ番号を予め決めておくこともできる。なお、RelativeＣＱＩ（ｋ，ｉ）は、ステップ幅ａｉの場合の時間相対値情報RelativeＣＱＩ（ｋ）である。
【００６８】
周波数相対値計算部６０７は、基準ＲＢ番号ｋ0 より小さなＲＢ番号ｋに対しては（ステップＳ１００４でＹＥＳ）、隣接するＲＢ番号（ｋ＋１）の復元値よりも大きいか小さいかにより周波数相対値情報を決定する。例えば、隣接するＲＢ番号（ｋ＋１）の復元値に対してＲＢ番号ｋのＣＱＩ値の方が大きい場合は、ＲＢ番号ｋに対する周波数相対値情報は１、小さい場合は０とする。そして、相対値情報が１の場合はＲＢ番号（ｋ＋１）の復元値にステップ幅を加算し、相対値情報が０の場合はＲＢ番号（ｋ＋１）の復元値からステップ幅を減算することにより、各ＲＢの復元値を算出する（ステップＳ１００６、Ｓ１００７、Ｓ１００８）。
【００６９】
一方、基準ＲＢ番号ｋ0 より大きなＲＢ番号ｋに対しては（ステップＳ１００４でＮＯ）、隣接する小さなＲＢ番号（ｋ−１）の復元値よりも大きいか小さいかにより周波数相対値情報を決定する。例えば、隣接するＲＢ番号（ｋ−１）の復元値に対してＲＢ番号ｋのＣＱＩ値の方が大きい場合は、ＲＢ番号ｋに対する周波数相対値情報は１、小さい場合は０とする。そして、相対値情報が１の場合はＲＢ番号（ｋ−１）の復元値にステップ幅を加算し、相対値情報が０の場合はＲＢ番号（ｋ−１）の復元値からステップ幅を減算することにより、各ＲＢの
算出する（ステップＳ１０１２、Ｓ１０１３、Ｓ１０１４）。
【００７０】
そして、ｉが予め定められた所定値Ｉになるまで、上記処理を繰り返し（ステップＳ１０１５、Ｓ１０１６でＮＯ）、ｉがＩ以上になると（ステップＳ１０１６でＹＥＳ）、ステップ幅選択を行う。この場合、ステップ幅毎に得られた復元値と測定したＣＱＩ値との誤差が最も小さいステップ幅を選択することになる（ステップＳ１０１７）。
【００７１】
このステップ幅の選択方法としては、最小２乗法で最適な値を計算してから、その値に近いステップ幅を選ぶような方法もある。誤差の計算方法は、全てのＲＢの誤差の絶対値の和を用いれば良い。あるいは、測定したＣＱＩ値が最大となるＲＢの誤差の和を用いても良い。ＭＳ−ＣＱＩ記録部６０２は誤差が最小となるステップ幅（ｉ＝ｉ０）で計算した復元値ReＣＱＩ（ｋ；ｉ０）をＣＱＩ（ｋ；ｔ−１）として記録する（ステップＳ１０１８）。そして、ＣＱＩ情報生成部６０８に対して、周波数相対値情報RelativeＣＱＩ（ｋ，ｉ０）として選択したステップ幅、基準ＲＢのＣＱＩ値ＣＱＩ０を通知し、ＣＱＩ情報生成部６０８において、図１１に示した送信フォーマット２が生成されることになる。
【００７２】
以上のようにして生成したフォーマットに基づいてＣＱＩを送信するが、送信に必要なビット数は、例えば、以下のようになる。
送信帯域が５ＭＨｚで、ＲＢ数が１２のシステムの場合：
時間相対値情報は１２ビット、周波数相対値情報は１６ビットである。
送信帯域が１０ＭＨｚで、ＲＢ数が２４のシステムの場合：
時間相対値情報は２４ビット、周波数相対値情報は２８ビットである。
送信帯域が２０ＭＨｚで、ＲＢ数が４８のシステムの場合：
時間相対値情報は４８ビット、周波数相対値情報は５２ビットである。
また、ステップ幅情報に要するビット数は予め準備するステップ幅の数によって異なる。従って、フオーマット１、フオーマット２の総ビット数は上記のビット数にステップ幅を標記するために必要なビット数を加算した数となる。
【００７３】
また、相対値RelativeＣＱＩ（ｋ，ｉ）ならびに復元値ReＣＱＩ（ｋ，ｉ）の別の導出方法を以下に示す。ステップ幅をＳ、基準ＲＢ番号ｋ０に対する復元値ReＣＱＩ（ｋ０，ｉ）を測定値ＣＱＩ０と設定し、ＲＢ番号ｋにおける相対値RelativeＣＱＩ（ｋ，ｉ）を以下のように計算する。
【００７４】
Ｅrr（ｋ；"1")≦Ｅrr（ｋ；"0")の場合：RelativeＣＱＩ（ｋ，ｉ）＝１
Ｅrr（ｋ；"1")＞Ｅrr（ｋ；"0")の場合：RelativeＣＱＩ（ｋ，ｉ）＝０
ここで、Ｅrr（ｋ；"1")，Ｅrr（ｋ；"0")は、それぞれ次の式で得られる誤差を表しており、“１”はステップ幅だけ増加したときを表し、“０”はステップ幅だけ減少したときを表す。
【００７５】
ｋ＜ｋ0 の場合：
Ｅrr（ｋ；"1")＝｜ＣＱＩ（ｋ）−ReＣＱＩ（ｋ＋１，ｉ）＋Ｓ｜
Ｅrr（ｋ；"0")＝｜ＣＱＩ（ｋ）−ReＣＱＩ（ｋ＋１，ｉ）−Ｓ｜
ｋ＞ｋ0 の場合：
Ｅrr（ｋ；"1")＝｜ＣＱＩ（ｋ）−ReＣＱＩ（ｋ−１，ｉ）＋Ｓ｜
Ｅrr（ｋ；"0")＝｜ＣＱＩ（ｋ）−ReＣＱＩ（ｋ−１，ｉ）−Ｓ｜
【００７６】
また、決定した相対値情報を用いて、そのＲＢの復元値ReＣＱＩ（ｋ）は以下のように計算される。
ｋ＝ｋ0     ReＣＱＩ（ｋ，ｉ）＝ＣＱＩ（ｋ）
ｋ＜ｋ0
RelativeＣＱＩ（ｋ，ｉ）＝１の場合：
ReＣＱＩ（ｋ，ｉ）＝ReＣＱＩ（ｋ＋１，ｉ）＋Ｓ
RelativeＣＱＩ（ｋ，ｉ）＝０の場合：
ReＣＱＩ（ｋ，ｉ）＝ReＣＱＩ（ｋ＋１，ｉ）−Ｓ
ｋ＞ｋ0
RelativeＣＱＩ（ｋ，ｉ）＝１の場合：
ReＣＱＩ（ｋ，ｉ）＝ReＣＱＩ（ｋ−１，ｉ）＋Ｓ
RelativeＣＱＩ（ｋ，ｉ）＝０の場合：
ReＣＱＩ（ｋ，ｉ）＝ReＣＱＩ（ｋ−１，ｉ）−Ｓ
【００７７】
なお、以上の計算では、比較結果を大か小の２段階で示して１ビット表記としているが、２ビット表記として、４段階表記としてもよい。このとき、下記のように計算する。
ｋ＜ｋ0 の場合：
Ｅrr（ｋ；"11"）＝｜ＣＱＩ（ｋ）−ReＣＱＩ（ｋ＋１，ｉ）＋３×Ｓ｜
Ｅrr（ｋ；"01"）＝｜ＣＱＩ（ｋ）−ReＣＱＩ（ｋ＋１，ｉ）＋Ｓ｜
Ｅrr（ｋ；"00"）＝｜ＣＱＩ（ｋ）−ReＣＱＩ（ｋ＋１，ｉ）−Ｓ｜
Ｅrr（ｋ；"10"）＝｜ＣＱＩ（ｋ）−ReＣＱＩ（ｋ＋１，ｉ）−３×Ｓ｜
ｋ＞ｋ0 の場合：
Ｅrr（ｋ；"11"）＝｜ＣＱＩ（ｋ）−ReＣＱＩ（ｋ−１，ｉ）＋３×Ｓ｜
Ｅrr（ｋ；"01"）＝｜ＣＱＩ（ｋ）−ReＣＱＩ（ｋ−１，ｉ）＋Ｓ｜
Ｅrr（ｋ；"00"）＝｜ＣＱＩ（ｋ）−ReＣＱＩ（ｋ−１，ｉ）−Ｓ｜
Ｅrr（ｋ；"10"）＝｜ＣＱＩ（ｋ）−ReＣＱＩ（ｋ−１，ｉ）−３×Ｓ｜
例えば、以上の４つの値の中でＥrr（ｋ；”０１”）が最も小さい場合、“０１”をＣＱＩ情報として送るようにし、復元値はＣＱＩ（ｋ）＝ReＣＱＩ（ｋ−１，ｉ）＋Ｓとして算出する。
【００７８】
図１５に、ステップ幅を２としたときの移動局の周波数相対値情報計算動作例を示す。図１５を参照すると、基準ＲＢを選択し、この基準ＲＢを基準として、周波数の高低方向にそれぞれ隣接帯域について、この隣接帯域に対してステップ幅を増減して２つの復元値候補を得て、測定したＣＱＩ値に近い復元値候補が、ステップ幅増減したどの復元値候補かを示す復元値の相対値情報を、周波数相対値情報（ビットマップ）として生成する。そして、複数のステップ幅の各々について、相対値情報を用いて復元値を求め、この復元値が測定値に近いステップ幅を選択する。この選択したステップ幅情報と、基準ＲＢのＣＱＩ値と、復元値の相対値情報（ビットマップ）とを、図１１のフオーマット２で基地局へ報告するのである。なお、本例は単に一例を示すものであり、種々の変形が可能であることは勿論である。
【００７９】
次に、基地局の動作を図１６のフローチャートを用いて説明する。基地局は、ＣＱＩ受信部７０１にて、当該フレームにおいて通知されたＣＱＩ信号のフォーマットを検出する。すなわち、フレーム番号ｊであるフレームでは、
ｍｏｄ（ｊ，Ｎ）＝０の場合：フォーマット２（周波数相対値情報）
ｍｏｄ（ｊ，Ｎ）＞０の場合：フォーマット１（時間相対値情報）
とし（ステップＳ１３０１）、各フォーマットに応じた相対値情報ならびにステップ幅Ｓ等、さらに、周波数相対値情報の場合は、基準ＲＢのＣＱＩ値などを取り出す。そして、ＣＱＩ復元部７０２において、各ＲＢにおける新しいＣＱＩ値をそれぞれ計算する（ステップＳ１３０３，Ｓ１３０４）。計算して得られたＣＱＩ値はＢＳ−ＣＱＩ値記録部７０３に記録される（ステップＳ１３０５）と共に、スケジューラ／適応変調制御部に出力される（ステップＳ１３０６）。
【００８０】
上記のステップＳ１３０３における時間相対値情報から復元値を得る方法を図１７に示している。ＣＱＩ復元部７０２は、ＣＱＩ受信部７０１にて取り出され、移動局から報告された時間相対値情報とステップ幅情報とから、ＲＢ毎に、新しいＣＱＩ値をＢＳ−ＣＱＩ記録部７０３に記録されている前回の復元値と、報告されたステップ幅と、時間相対値とに基づいて、移動局と同じ計算方法によって復元値を得ることになる。
【００８１】
すなわち、
RelativeＣＱＩ（ｋ）＝１の場合：
ReＣＱＩ（ｋ；ｔ）＝ＣＱＩ（ｋ；ｔ−１）＋Ｓ
RelativeＣＱＩ（ｋ）＝０の場合：
ReＣＱＩ（ｋ；ｔ）＝ＣＱＩ（ｋ；ｔ−１）−Ｓ
の計算が行われるのである。こうして得られた新たな復元値はＢＳ−ＣＱＩ値記録部７０３に記録されて次の復元値の計算に用いられる。
【００８２】
なお、上記に示した復元方法は、時間相対値情報を１ビット表記の場合であるが、２ビット表記の場合にも、移動局の計算例で示したものと同様の計算が、基地局で行われる。
【００８３】
上記のステップＳ１３０４における周波数相対値情報から復元値を得る方法を図１８に示している。移動局から報告された基準ＲＢのＣＱＩ値と、周波数相対値情報と、ステップ幅情報とを用いて、基準ＲＢから、高低方向に、順に隣接ＲＢのＣＱＩ値に対して、相対値に従ってステップ幅を増減して復元値を得ることになる。
【００８４】
すなわち、
ｋ＝ｋ0     ReＣＱＩ（ｋ）＝ＣＱＩ（ｋ）
ｋ＜ｋ0
RelativeＣＱＩ（ｋ）＝１の場合：
ReＣＱＩ（ｋ）＝ReＣＱＩ（ｋ＋１）＋Ｓ
RelativeＣＱＩ（ｋ）＝０の場合：
ReＣＱＩ（ｋ）＝ReＣＱＩ（ｋ＋１）−Ｓ
ｋ＞ｋ0
RelativeＣＱＩ（ｋ）＝１の場合：
ReＣＱＩ（ｋ）＝ReＣＱＩ（ｋ−１）＋Ｓ
RelativeＣＱＩ（ｋ）＝０の場合：
ReＣＱＩ（ｋ）＝ReＣＱＩ（ｋ−１）−Ｓ
の計算が行われるのである。
【００８５】
なお、上記に示した復元方法は、時間相対値情報を１ビット表記の場合であるが、２ビット表記の場合にも、移動局の計算例で示したものと同様の計算が、基地局で行われる。
【００８６】
以上のように、第１の実施の形態では、時間相対値表記に基づいたＣＱＩ信号通知を基本とし、所定周期で周波数相対値表記に基づいたＣＱＩ信号を通知するようにする。時間相対値表記に基づいたＣＱＩ信号の通知により、ＣＱＩ信号のビット数を削減できる。そのため、上り回線のオーバヘッドの減少、上り回線のスループットや容量の増加、または遅延の低減等の効果が期待できる。しかし、時間相対値に基づいたＣＱＩ信号を用いる場合、あるフレームで基地局において受信誤りが生じると、移動局と基地局におけるＣＱＩ値のずれは、その後のフレームまで伝播する。そこで、本実施の形態では、所定周期で基準ＲＢのＣＱＩ値の絶対値と周波数相対値を通知する周波数相対値表記を用いたリセットすることにより、ずれの伝播を断ち切っている。
【００８７】
更に、リセットが基準ＲＢのＣＱＩ値とその値に対する周波数方向の相対値を用いて行われるため、移動局と基地局におけるＣＱＩ値のずれをリセットするためのＣＱＩ信号のビット数も削減することができる。これにより、上り回線のオーバヘッドの減少、上り回線のスループットや容量の増加、遅延の低減等の効果が期待できる。なお、リセットのためには、全てのＲＢのＣＱＩ値の絶対値を報告するようにしても良い。
【００８８】
＜第２の実施の形態＞
以下に第２の実施の形態を説明する。第１の実施の形態では、時間相対値の通知を基本とし、基地局における受信誤りによるずれを修正するために所定周期で周波数相対値を、基地局へ通知していたが、第２の実施形態では、フレーム毎に、時間相対値と周波数相対値の各々の相対値情報を算出し、実際の測定値との誤差が小さくなる方の相対値情報を、基地局へ通知する点が異なる。
【００８９】
チャネル品質の変動は、移動局の速度、移動局の位置する場所の地形や建物、移動局と基地局間の距離などにより影響をうけるため、移動局毎に異なる。また、周波数方向のチャネル変動と時間方向のチャネル変動は各々異なる要因により発生するため、移動局毎にどちらのチャネル変動のほうが小さいかは異なり、また移動局が移動することにより変わる。例えば、速度が速い移動局におけるチャネル品質は、フェージング変動周期が高いため時間変動が激しくなる。従って、このような移動局が時間相対値情報を用いたＣＱＩ通知のみを使用すると、時間変動に追従することができず、通知したＣＱＩの測定ＣＱＩとの誤差が大きくなり好ましくない。
【００９０】
そこで、本実施の形態で説明するように、移動局毎に適した相対値情報を使用できるように、時間相対値並びに周波数相対値の両方を算出し、測定したＣＱＩ値との誤差がより小さい方を移動局が選択し通知することで、移動局が各々の環境に応じて適した通知を行えるようになり、システム全体としてＣＱＩ通知の精度を向上させることができる。
【００９１】
第２の実施の形態における移動局と基地局の構成は、第１の実施の形態と同じであるため省略する。また、時間相対値と周波数相対値の算出方法は、第１の実施の形態において説明したため省略する。
【００９２】
図１９は本実施の形態の動作を示すフローチャートであり、第２の実施の形態の移動局における相対値計算部６０４は、フレーム毎に時間相対値情報と周波数相対値情報を算出し（ステップＳ１４０２，Ｓ１４０３）、決定部６０６が実際のＣＱＩ測定値と各々の相対値情報に基づいた復元値との誤差を計算する（ステップＳ１４０４）。ここで、誤差の計算方法は、全てのＲＢの誤差（測定値と復元値の差）の絶対値の和を使用すればよい。あるいは、測定したＣＱＩが最大となるＲＢの誤差を使っても良い。更に、上位Ｍ（Ｍは１以上の整数）個の誤差の合計を使っても良い。
【００９３】
決定部６０６は、周波数相対値情報を用いた場合と、時間相対値情報を用いた場合との各々に対して誤差を算出し、誤差が小さくなる方の相対値情報を、そのフレームで送信するＣＱＩ信号と決定し、決定した相対値情報をＣＱＩ情報生成部６０８へ送る。ＣＱＩ情報生成部６０８は、受け取った相対値情報に対応するフォーマットに従ってＣＱＩ信号を生成する（ステップＳ１４０５，Ｓ１４０６）。
【００９４】
ここで、時間相対値情報並びに周波数相対値情報の各々のフォーマットは、例えば、図２０、図２１に示すフォーマット３、フォーマット４のように、先の実施の形態のフォーマット１、フォーマット２に含まれる情報に加えて、時間相対値情報か周波数相対値情報かを示すフラグが含まれる。生成したＣＱＩ信号は、制御信号送信部へ送られる（ステップＳ１４０７）。なお、このフラグは１ビット表記に限定されることはなく、また、フォーマット３，４に含めずに、別に送信しても良い。
【００９５】
図２２は本実施の形態の動作原理を説明するための図である。図２，６と同様に、Ａは絶対値情報を示し、Ｒは相対値情報を示しており、相対値情報Ｒには、時間相軸方向の時間対値情報と周波数軸方向の周波数相対値情報とがある。図２２では、移動局と基地局におけるＣＱＩ値のずれをリセットするための１フレーム目と５フレーム目のタイミングにおいては、基準ＲＢのＣＱＩ値を絶対値情報Ａとして表し、この基準ＲＢを基準として周波数の高低方向に順次ＣＱＩ値の差分を用いて周波数相対値Ｒとしている。また、他のフレームについては、周波数相対値情報を用いた場合と、時間相対値情報を用いた場合との各々に対して誤差を算出し、誤差が小さくなる方の相対値情報を用いてＣＱＩ情報を生成して基地局へ報告する。
【００９６】
また、第１の実施の形態において説明したように、時間相対値情報を用いる場合は、あるフレームにおいて基地局が信号の受信に誤り、基地局と移動局間とのＣＱＩ値にずれが生じると、時間相対値情報が基地局で正しく受信されている限りその後のフレームでもずれが引き継がれてしまう。これを解消するために、周波数相対値情報と時間相対値情報の誤差の大小に係わらず、所定の周期で周波数相対値情報を送信して当該ずれをリセットするようにしているが、このリセット周期も一定とする必要はなく、予め定められフレームタイミングとすることができ、またこのリセット時には、全てのＲＢの測定ＣＱＩ値を絶対値情報を用いて通知するようにしても良い。
【００９７】
以上のように、この第２の実施の形態では、フレーム毎に、時間相対値情報と周波数相対値とを算出し、測定値と各相対値情報に基づいて復元した値との誤差が小さくなるほうの相対値情報を通知するようにする。このため、第１の実施の形態で説明した効果に加え、各移動局と基地局間との無線伝搬路の状況に応じてより適した情報を通知することが可能となる。
【００９８】
従って、例えば、移動速度が速く、チャネル品質の時間変動が激しい移動局においては、時間相対値情報でなく周波数相対値情報を通知する頻度が高くなり、復元値と測定値との誤差を小さくすることができる。このように、本発明によりＣＱＩ信号の測定値と復元値の差を小さくすることができるため、基地局におけるスケジューリング効果や適応変調の精度を向上させることができ、下り回線伝送のスループットが向上し、パケット送信遅延が減少するという効果がある。
【００９９】
＜第３の実施の形態＞
以下に、第３の実施の形態を説明する。第２の実施の形態では、フレーム毎に、時間相対値と周波数相対値の各々の相対値情報を算出し、実際の測定値との誤差が小さくなるほうの相対値情報を通知していたが、第３の実施の形態では、時間相対値情報と、量子化レベルを粗くし少ないビット数で表記した絶対値情報とを算出し、実際の測定値との誤差が小さくなるほうの情報を通知する。
【０１００】
例えば、無線リソースとしてＲＢ数を８とし、相対値情報１ビットとし、またＡ／Ｄ（アナログ／デジタル）変換時の量子化レベルを、システムで規定されている量子化レベルである５ビットよりも粗くして、絶対値情報を２ビットとすると、時間相対値情報は１ビット×８＝８ビットで８つのＲＢのＣＱＩ情報を表記できるのに対し、量子化レベルを粗くした絶対値情報を用いた場合は、８つのＲＢのＣＱＩ情報を表記するのに２ビット×８＝１６ビット必要となり、相対値情報に比べると必要なビット数は増加する。しかし、全てのＲＢを５ビットで表記するようなＣＱＩ情報よりは必要なビット数を削減することはできる。
【０１０１】
第２の実施の形態において説明したように、チャネル品質の変動は移動局毎に異なる。従って、チャネル変動が小さい場合とチャネル変動が大きい場合とがある。チャネル変動が大きい場合には、相対値情報では実際の品質に追従できず誤差が大きくなってしまう。従って、この場合は、絶対値通知を用いるのが好ましい。一方、チャネル変動が小さい場合は、相対値情報で十分な品質が確保でき、さらに必要な情報ビット数は絶対値情報よりも小さくなるため、相対値情報を用いるのが好ましい。
【０１０２】
そこで、本実施の形態では、移動局毎に適した通知方法を使用できるように、時間相対値情報並びに絶対値情報の両方を算出し、測定したＣＱＩ値との誤差がより小さい方を移動局が選択し通知することで、移動局が各々の環境に応じて適した通知を行えるようになり、システム全体としてＣＱＩ通知の精度を向上させることができる。
【０１０３】
図２３は本実施の形態における移動局の機能ブロック図であり、図７と同等部分は同一符号により示している。図２３において、ＣＱＩ測定部６０１は、各ＲＢのＣＱＩ値を測定するものであり、ＭＳ−ＣＱＩ値記録部６０２は、測定ＣＱＩ値や時間相対値情報Ｒを算出するために前回のＣＱＩ値を記録しておくものである。計算部６０９は、時間相対値情報を算出する時間相対値計算部６０５と、測定ＣＱＩ値を絶対値量子化するための絶対値量子化部６１０と、時間相対値計算部６０５と絶対値量子化部６１０の計算結果に対して、実際の測定値に対する誤差が少ない方を択一的に導出する決定部６０６とを有している。この決定部６０６により選択された情報を用いて基地局へ送信するための情報を生成するＣＱＩ情報生成部６０８とを含む。時間相対値計算部６０５と絶対値量子化部６１０が算出した時間相対値情報と絶対値情報のうち、測定したＣＱＩ値との誤差がより小さい方の情報を決定部６０６は選択してＣＱＩ情報生成部６０８へ通知し、選択した情報が時間相対値情報の場合は、決定した復元値をＭＳ−ＣＱＩ値記録部６０２へ記録し、選択した情報が絶対値の場合は絶対値をＭＳ−ＣＱＩ値記録部６０２へ記録する。なお、本実施の形態における基地局の構成は、第１の実施の形態と同じであるため省略する。
【０１０４】
図２４は本実施の形態の動作を示すフローチャートであり、ＣＱＩ測定部６０１によるＲＢ毎の測定ＣＱＩ値は（ステップＳ１８０１）、時間相対値計算部６０５において、時間相対値情報が算出され（ステップＳ１８０２）、また量子化部６１０において、絶対値量子化がなされる（ステップＳ１８０３）。この絶対値量子化部６１０では、システムで規定されている量子化レベルである５ビットよりも粗くして、絶対値情報を、例えば、２ビットとする。
【０１０５】
そして、決定部６０６において、実際の測定ＣＱＩ値と時間相対値情報により得られるＣＱＩ値との誤差が算出される（ステップＳ１８０４）と共に、実際の測定ＣＱＩ値と絶対値量子化結果との誤差が算出される（ステップＳ１８０５）。両者の誤差のうち少ない方の結果に基づいてＣＱＩ信号の生成がなされ（ステップＳ１８０６〜１８０８）、制御信号送信部へ送られることになる（ステップＳ１８０９）。
【０１０６】
ここで、本例では、量子化後の１ＲＢに対する情報ビット数を２ビットとすると、ＣＱＩ値は、２ビット表記により、０から３までの４通りで通知することが可能である。ここでは、一例として、図２５に示すような量子化テーブルを、移動局および基地局が予め保持しているものとする。このテーブルでは、ＣＱＩ値の指標として、前述したように、パイロット信号のＳＩＲに基づいて算出した適切な送信形式である変調方式やブロックサイズ、更には電力オフセットを用いており、ＣＱＩ値が１，４，７，１０の各場合には、２ビット表記で“０（００）”，“１（０１）“，“２（１０）”，“３（１１）”となる。
【０１０７】
移動局における絶対値量子化部６１０は、図２５に示した量子化テーブル内のＣＱＩ値の中から、ＣＱＩ測定部から送られる各ＲＢの品質情報に最も近い品質値に対応するＣＱＩ値を選び、そのＲＢのＣＱＩ値とする。ここで、選択するＣＱＩ値は測定値との誤差が最も小さくなるものとするが、本発明の実施の形態はそれのみに限られず、例えば、測定値よりも小さい品質値の中で最も測定値に近いものを選択するようにしてもよい。
【０１０８】
移動局における決定部６０６は、第２の実施の形態で説明したように、フレーム毎に時間相対値情報と量子化した絶対値情報とを受け取り、各々測定値との誤差を算出し、誤差の小さい通知方法を、このフレームにおいて用いることを決定する。決定方法、その後の処理については第２の実施の形態と同じであるため省略する。
【０１０９】
また、第１の実施の形態において説明したように、相対値情報を用いる場合は、あるフレームにおいて基地局が信号の受信に誤り、基地局と移動局間とのＣＱＩ値にずれが生じると、相対値情報が基地局で正しく受信されている限りその後のフレームでもずれが引き継がれてしまう。これを解消するために、絶対値情報と相対値情報の誤差の大小に係わらず、所定の周期で絶対値情報を送信するようにしてもよい。
【０１１０】
また、ここで、相対値情報は１ビット、絶対値情報は２ビットとしたが、本発明の範囲はこれに限定されず、如何なるビット数を設定してもよい。例えば、相対値情報並びに絶対値情報をどちらも２ビットとしてもよく、この場合、両者の合計ビット数は同一となるため、制御信号フィールドのフォーマットを統一できるという利点がある。この場合、相対値情報を用いることによるビット数削減効果はないが、相対値のステップ幅を絶対値情報で通知可能な粒度よりも小さく設定することで、時間変動の小さい場合には相対値情報を用いたほうがより正確な通知が行える。
【０１１１】
以上のように、第３の実施の形態では、フレーム毎に、時間相対値情報と量子化した絶対値情報を算出し、測定値と各情報に基づいて復元した値との誤差が小さくなるほうの情報を通知するようにする。このため、第１の実施の形態で説明した効果に加え、各移動局と基地局間との無線伝搬路の状況に応じてより適した情報を通知することが可能となる。従って、例えば、移動速度が速く、チャネル品質の時間変動が激しい移動局においては、量子化した絶対値情報を通知する割合が多くなり、復元値と測定値との誤差を小さくすることができる。また、移動速度が遅い場合は、時間相対値情報を用いて使用する情報ビット数を削減したり、削減した情報ビットスペースを他の信号の送信に用いるなどということが可能となる。
【０１１２】
このように、本発明により、常に量子化した絶対値通知を行うよりは使用する情報ビット数を削減しつつ、ＣＱＩ信号の測定値と復元値の差を小さくすることができるため、基地局におけるスケジューリング効果や適応変調の精度を向上させることができ、下り回線伝送のスループットが向上し、パケット送信遅延が減少するという効果がある。
【０１１３】
本実施の形態では、フレーム毎に、時間相対値情報と量子化した絶対値情報を算出し、測定値と各情報に基づいて復元した値との誤差が小さくなるほうの情報を通知するようにしているが、量子化した絶対値情報を周期的なフレームタイミングで通知し、残余のフレームタイミングでは、時間相対値情報を通知するように構成しても良い。量子化した絶対値情報を通知する周期はフレキシブル（変化自在）とすることができる。
【０１１４】
＜第４の実施の形態＞
第３の実施の形態では、時間相対値情報（例えば１ビット）と、量子化レベルを粗くして少ないビット数（例えば２ビット）で標記した絶対値情報とのうち、実際の測定値との誤差が少なくなるほうの情報を通知するようにしているが、第４の実施の形態では、この絶対値情報を２フレーム以上に分割して送信するようにしたものである。例えば、実施例4 では、絶対値情報を２フレームに分割して送信するようにする。この理由は、絶対値情報と相対値情報とのビット数を同じにするためであり、ビット数が同じであれば、同一の伝送形式（符号化率や変調方式など）で統一できることになって、実装が簡単化できることになる。尚、絶対値情報のビット数、並びに分割するフレーム数は2 だけには限らず、２ビットより大きい絶対値情報を、２フレームより大きいフレーム数に分割して送ってもよい。
【０１１５】
図２６はこの第４の実施の形態におけるＣＱＩ値の通知方法を説明するための図であり、基地局のブロック図は図２３に示した第３の実施の形態と同一である。図２６に示すように、ＲＢ１〜ＲＢ８を、ＲＢ１〜ＲＢ４のグループと、ＲＢ５〜ＲＢ８のグループとの２つのグループに分け、第ｎのフレームで１つ目のグループの絶対値情報ＲＡ（Rough Absolute) を送信し、次の第ｎ＋１のフレームで２つ目のグループの絶対値情報ＲＡを送信する。こうすることにより、各ＲＢのＲＡが２ビットであり、Ｒが１ビットである場合には、全てのフレームでの送信ビット数は８ビットとなって、絶対値情報ＲＡと相対値情報Ｒとのビット数を同じにすることができる。
【０１１６】
このように、絶対値情報ＲＡを２グループに分けて送信するのは、図２３におけるＣＱＩ情報生成部６０８で行われる。なお、図２６では、第ｎ＋２〜第ｎ＋４のフレームでは、時間相対値情報Ｒを送信する例を示しているが、これに限定されない。また、基地局の構成は先の実施の形態と同一であるので説明は省略する。この図２６に示した実施の形態は、図２で説明した絶対値情報Ａと相対値情報Ｒとを送信する例にも同様に適用可能である。
【０１１７】
この第４の実施の形態の変形例として、図２７に示す例が考えられる。図２６に示した例では、絶対値情報ＲＡを２フレームに分割して送信する場合に、ＲＢを２つのグループに分けて１フレームで１グループのＲＡを送信しているが、本例では、図２７に示すように、１ＲＢ当たり２ビットのＲＡを、１ビット目のグループと、２ビット目のグループとに分割し、各ＲＢの２ビットのＲＡを、１フレーム当たり１ビットずつ送信するのである。例えば、あるＲＢに対して、０１というＲＢを通知する場合、フレーム番号ｎとｎ＋１とで、それぞれ“０”と“１”を送信する。
【０１１８】
また、このとき、２ビットのＲＡのうち１ビット目で４つのＣＱＩ値のうち半分より大か小かを通知し、２ビット目で最終的に４ビットのうちどれかを特定できるような情報ビットを設定しておく方法も考えられる。すなわち、２ビットのＣＱＩ標記で、ＣＱＩ０とＣＱＩ１の場合は１ビット目を“０”、ＣＱＩ２とＣＱＩ３の場合は１ビット目を“１”とする。これにより基地局はフレーム番号ｎを受信した時点で、ＣＱＩが半分より大か小かの情報を得ることができるので、フレーム番号ｎ＋１の情報を得るまで、ＣＱＩ０とＣＱＩ１、またはＣＱＩ２とＣＱＩ３の中間の値をこのＲＢのチャネル品質として制御を行うことができる。この図２７に示した例は、図２で説明した絶対値情報Ａと相対値情報Ｒとを送信する例において、絶対値情報の送信にも同様に適用可能である。
【０１１９】
更に、この第４の実施の形態の変形例として、以下の例が考えられる。２ビット標記のＣＱＩ値を複数セット準備しておき、各移動局の平均的なチャネル品質に基づいて適切なセットを選択するようにする。これにより、２ビット標記で通知するレンジが狭くなるので、量子化による誤差が小さくなり、より精度の高い通知が行えることになる。
【０１２０】
すなわち、ＣＱＩ値の数が多い場合には、２ビット標記のＣＱＩ値で通知するレンジを予め指定しておく。例えば、２ビット標記のＣＱＩ値セットを高ＣＱＩレンジ用と低ＣＱＩレンジ用との２つ準備しておく。これら２つのセットのうちどちらを使用するかは、例えば、移動局が下り回線のパイロット信号の受信品質を測定し、測定品質が所定閾値以上の場合には、高ＣＱＩレンジ用を、閾値未満であれば、低ＣＱＩレンジ用を使用するように決定する方法がある。
【０１２１】
この決定を、移動局がＣＱＩ測定開始前に行い、基地局に上り回線の制御信号を用いて通知しておく。または、パイロット信号の受信品質の測定結果を基地局に通知し、基地局で高レンジ用を用いるか、低レンジ用を用いるかを決定して、その決定を移動局に通知しても良い。また、移動局はＣＱＩ通知開始後も、所定の周期で下りパイロット信号の受信品質を測定し、この測定結果に基づいてＣＱＩ通知レンジを更新するようにしても良い。この例も、図２で説明した絶対値情報Ａと相対値情報Ｒとを送信する例において、絶対値情報の送信にも同様に適用可能である。
【０１２２】
なお、以上に説明した第１から第４の実施の形態では、移動局はＣＱＩ値を毎フレーム通知していたが、本発明の範囲はこれに限定されない。すなわち、移動局は所定の周期や所定の条件に基づいてＣＱＩ値を通知するフレームを決定してもよい。また、基地局への通知フォーマットにおけるステップ幅情報は必須ではなく、ステップ幅を、例えば、１と定めておくことも可能であり、この場合には、ステップ幅情報に相当するビット数だけ情報量が更に減少する。また、移動局はシステム帯域に含まれる全てのＲＢに対するＣＱＩ値を通知しても良いが、基地局から下り回線の制御信号などを用いて予め指示されたＲＢのセットなど、特定のＲＢのみのＣＱＩ値を通知しても良い。また、上述した各実施の形態における動作は、予めその動作手順をプログラムとしてＲＯＭなどの記録媒体に格納しておき、これをコンピュータに読み取らせて実行させるように構成できることは明白である。
【図面の簡単な説明】
【０１２３】
【図１】システム帯域とＲＢとの関係を示す図である。
【図２】各ＲＢのＣＱＩ値の通知方法の一例を説明するための図である。
【図３】図２の通知方法による問題点を説明するための図である。
【図４】本発明の実施の形態が適用されるシステム構成図である。
【図５】ＲＢの時間と周波数との関係を示す図である。
【図６】本発明の第１の実施の形態におけるＣＱＩ値の通知方法を説明するための図である。
【図７】本発明の第１の実施の形態における移動局のブロック図である。
【図８】本発明の第１の実施の形態における基地局のブロック図である。
【図９】本発明の第１の実施の形態におけ移動局の動作を示すフローチャートである。
【図１０】本発明の第１の実施の形態において、移動局が時間相対値を基地局へ報告するためのフォーマット例である。
【図１１】本発明の第１の実施の形態において、移動局が周波数相対値を基地局へ報告するためのフォーマット例である。
【図１２】図９のステップＳ８０４の詳細を示すフローチャートである。
【図１３】移動局の時間相対値情報計算動作例を示す図である。
【図１４】図９のステップＳ８０５の詳細を示すフローチャートである。
【図１５】移動局の周波数相対値情報計算動作例を示す図である。
【図１６】本発明の第１の実施の形態における基地局の動作を示すフローチャートである。
【図１７】基地局の時間相対値情報によるＣＱＩ値復元動作例を示す図である。
【図１８】基地局の周波数相対値情報によるＣＱＩ値復元動作例を示す図である。
【図１９】本発明の第２の実施の形態による移動局の動作を示すフローチャートである。
【図２０】本発明の第２の実施の形態において、移動局が時間相対値を基地局へ報告するためのフォーマット例である。
【図２１】本発明の第２の実施の形態において、移動局が周波数相対値を基地局へ報告するためのフォーマット例である。
【図２２】本発明の第２の実施の形態におけるＣＱＩ値の通知方法を説明するための図である。
【図２３】本発明の第３の実施の形態における移動局のブロック図である。
【図２４】本発明の第３の実施の形態における移動局の動作を示すフローチャートである。
【図２５】本発明の第３の実施の形態における移動局および基地局内の量子化テーブルの例を示す図である。
【図２６】第４の実施の形態におけるＣＱＩ値の通知方法を説明するための図である。
【図２７】第４の実施の形態の変形例におけるＣＱＩ値の通知方法を説明するための図である。
【符号の説明】
【０１２４】
６０１  ＣＱＩ測定部
６０２  ＭＳ−ＣＱＩ値記録部
６０３  基準ＲＢ決定部
６０４  相対値計算部
６０５  時間相対値計算部
６０６  決定部
６０７  周波数相対値計算部
６０８  ＣＱＩ情報生成部
６０９  計算部
６１０  絶対値量子化部
７０１  ＣＱＩ受信部
７０２  ＣＱＩ復元部
７０３  ＢＳ−ＣＱＩ値記録部
【図１】
2008048319.tif 000003
【図２】
2008048319.tif 000004
【図３】
2008048319.tif 000005
【図４】
2008048319.tif 000006
【図５】
2008048319.tif 000007
【図６】
2008048319.tif 000008
【図７】
2008048319.tif 000009
【図８】
2008048319.tif 000010
【図９】
2008048319.tif 000011
【図１０】
2008048319.tif 000012
【図１１】
2008048319.tif 000013
【図１２】
2008048319.tif 000014
【図１３】
2008048319.tif 000015
【図１４】
2008048319.tif 000016
【図１５】
2008048319.tif 000017
【図１６】
2008048319.tif 000018
【図１７】
2008048319.tif 000019
【図１８】
2008048319.tif 000020
【図１９】
2008048319.tif 000021
【図２０】
2008048319.tif 000022
【図２１】
2008048319.tif 000023
【図２２】
2008048319.tif 000024
【図２３】
2008048319.tif 000025
【図２４】
2008048319.tif 000026
【図２５】
2008048319.tif 000027
【図２６】
2008048319.tif 000028
【図２７】
2008048319.tif 000029